(57)【要約】【課題】  簡単な構成でかつ低コストの球保留装置を備えた遊技機を提供する。【解決手段】  遊技盤面上に設けられた入賞口１２と、前記入賞口１２に対して設けられ、所定数の遊技球３０を保留し得る保持容器２７と、この保持容器２７を保留位置に保持するばね２９とを備え、前記保持容器２７に所定数の遊技球３０が保留されると前記ばね２９の付勢力に抗して前記保持容器２７が回転して、保留された遊技球３０を一気に前記入賞口１２に放出するようにした遊技機。【選択図】  図３
2006110027.tif 000002
【特許請求の範囲】
【請求項１】
遊技盤上に設けられた入賞口と、
前記入賞口に遊技球が入賞したときに所定の遊技球を払い出す払出手段と、
遊技球を保留する保留手段とを備える遊技機であって、
前記保留手段に所定数の遊技球が保留されたことを契機として、保留された前記所定数の遊技球を前記入賞口に入賞させるべく遊技球の保留を解除することを特徴とする弾球遊技機。
【請求項２】
請求項１に記載の弾球遊技機において、
前記保留手段は、所定数の遊技球が保留されるまで保留状態を付勢手段によって維持されるものであることを特徴とする弾球遊技機。
【請求項３】
請求項１に記載の弾球遊技機において、
前記保留手段は、所定数の遊技球が保留されるまでは保留された遊技球にかかる重力により保留状態を維持するものであることを特徴とする弾球遊技機。
【請求項４】
請求項２に記載の弾球遊技機において、
前記保留手段は、球受け入れ部を有し、かつ所定数の遊技球を収容し得る保持容器を備え、
前記保持容器は、前記球受け入れ部が遊技球を導き入れ得る状態となる保留位置と前記球受け入れ部から前記保持容器内の遊技球を前記入賞口に入賞させ得る状態となる保留解除位置とを取り得るように回動自在に支持され、かつ前記保留位置にあるときに所定数の遊技球が入るまで前記付勢手段により前記保留位置に保持されるものであることを特徴とする弾球遊技機。
【請求項５】
請求項３に記載の弾球遊技機において、
前記保留手段は、球受け入れ部を有し、かつ所定数の遊技球を収容し得る保持容器を備え、
前記保持容器は、前記球受け入れ口が遊技球を導き入れ得る状態となる保留位置と前記球受け入れ端から前記保持容器内の遊技球を前記入賞口に入賞させ得る状態となる保留解除位置とを取り得るように回動自在に支持され、かつ前記保持容器の支持位置が、前記保留位置にあるときに所定数の遊技球が入るまで前記保留位置に保持されるように重量バランスを取る位置であることを特徴とする弾球遊技機。
【請求項６】
請求項１乃至５のいずれかに記載の弾球遊技機において、
前記保持容器は、遊技盤面に平行な水平軸回りに回動自在に支持されていることを特徴とする弾球遊技機。
【請求項７】
請求項１乃至５のいずれかに記載の弾球遊技機において、
前記保持容器は、遊技盤面に垂直な水平軸回りに回動自在に支持されていることを特徴とする弾球遊技機。
【請求項８】
請求項１乃至７のいずれかに記載の弾球遊技機において、前記遊技盤が透明とされると共に、前記保留手段及び前記保留解除手段が前記遊技盤の背面側に設けられていることを特徴とする弾球遊技機。
【請求項９】
請求項８に記載の弾球遊技機において、
前記遊技盤の背面側に隙間をあけて表示装置が設けられ、
前記保留手段及び前記保留解除手段が前記隙間に設けられていることを特徴とする弾球遊技機。
【発明の詳細な説明】
【技術分野】
【０００１】
本発明は、遊技領域内を遊技球が流下するパチンコ等の弾球遊技機に関する。
【背景技術】
【０００２】
弾球遊技機（例えば、パチンコ機）は、一般に、遊技盤上に複数の入賞口（始動入賞口、可変入賞口、大入賞口）を備えている（特許文献１）。このような弾球遊技機において、興趣を向上させるために、入賞口に入賞する遊技球を一旦保留するものが提案されている（特許文献２）。これは、遊技球（パチンコ玉）をプールするプール手段と、該プール手段でプールされた遊技球を放出する解除手段とからなる球保留装置を設け、該球保留装置から放出された遊技球を特別入賞口に入賞させるようにしたものである。
【０００３】
【特許文献１】特開2004-12310号公報
【特許文献２】特開2001-353281号公報
【発明の開示】
【発明が解決しようとする課題】
【０００４】
しかしながら、特許文献１、２に記載の遊技機では、遊技球の入賞確率が一定であったので、遊技の興趣性が欠ける場合があった。
【０００５】
本発明は、上記課題を解決すべくなされたもので、遊技機における入賞確率が変動するようにして遊技の興趣性を向上することを目的とする。
【課題を解決するための手段】
【０００６】
上記課題を解決する第１の発明（請求項１に対応）に係る弾球遊技機は、
遊技盤上に設けられた入賞口と、
前記入賞口に遊技球が入賞したときに所定の遊技球を払い出す払出手段と、
遊技球を保留する保留手段とを備える遊技機であって、
前記保留手段に所定数の遊技球が保留されたことを契機として、保留された前記所定数の遊技球を前記入賞口に入賞させるべく遊技球の保留を解除することを特徴とする。
【０００７】
上記課題を解決する第２の発明（請求項２に対応）に係る弾球遊技機は、
第１の発明に係る弾球遊技機において、
前記保留手段は、所定数の遊技球が保留されるまで付勢力により保留状態を保持する付勢手段を有することを特徴とする。
【０００８】
上記課題を解決する第３の発明（請求項３に対応）に係る弾球遊技機は、
第１の発明に係る弾球遊技機において、
前記保留手段は、所定数の遊技球が保留されるまでは保留された遊技球にかかる重力により保留状態を維持するものであることを特徴とする。
【０００９】
上記課題を解決する第４の発明（請求項４に対応）に係る弾球遊技機は、
第２の発明に係る弾球遊技機において、
前記保留手段は、球受け入れ部を有し、かつ所定数の遊技球を収容し得る保持容器を備え、
前記保持容器は、前記球受け入れ部が遊技球を導き入れ得る状態である保留位置と前記球受け入れ部から前記保持容器内の遊技球を前記入賞口に入賞させ得る状態である保留解除位置とを取り得るように回動自在に支持され、かつ前記保留位置にあるときに所定数の遊技球が入るまで前記付勢手段の付勢力により前記保留位置に保持されるものであることを特徴とする。
【００１０】
上記課題を解決する第５の発明（請求項５に対応）に係る弾球遊技機は、
第３の発明に係る弾球遊技機において、
前記保留手段は、球受け入れ部を有し、かつ所定数の遊技球を収容し得る保持容器を備え、
前記保持容器は、前記球受け入れ口が遊技球を導き入れ得る状態である保留位置と前記球受け入れ端から前記保持容器内の遊技球を前記入賞口に入賞させ得る状態である保留解除位置とを取り得るように回動自在に支持され、かつ前記保留位置にあるときに所定数の遊技球が入るまで前記保留位置に保持されるように重量バランスを取る位置であることを特徴とする。
【００１１】
上記課題を解決する第６の発明（請求項６に対応）に係る弾球遊技機は、
第１乃至第５のいずれかの発明に係る弾球遊技機において、
前記保持容器は、遊技盤面に平行な水平軸回りに回動自在に支持されていることを特徴とする。
【００１２】
上記課題を解決する第７の発明（請求項７に対応）に係る弾球遊技機は、
第１乃至５のいずれかの発明に係る弾球遊技機において、
前記保持容器は、遊技盤面に垂直な水平軸回りに回動自在に支持されていることを特徴とする。
【００１３】
上記課題を解決する第８の発明（請求項８に対応）に係る弾球遊技機は、
第１乃至７のいずれかの発明に係る弾球遊技機において、
前記遊技盤が透明とされると共に、前記保留手段及び前記保留解除手段が前記遊技盤の背面側に設けられていることを特徴とする。
【００１４】
上記課題を解決する第９の発明（請求項９に対応）に係る弾球遊技機は、
第８の発明に係る弾球遊技機において、
前記遊技盤の背面側に隙間をあけて表示装置が設けられ、前記保留手段及び前記解除手段が前記隙間に設けられていることを特徴とする。
【発明の効果】
【００１５】
第１〜第９の発明に係る弾球遊技機によれば、所定数の遊技球が保留されたときにそれを契機として保留が解除され、所定数の遊技球が一気に放出されて入賞口に入るので、遊技球の入賞確率を変動させることができ、遊技の興趣性が向上する。
【００１６】
第２及び第４の発明に係る弾球遊技機によれば、付勢手段という簡単な手段により遊技球の保留、保留解除による放出ができ、製造及びコストの面でも極めて有利となる。また、保持容器が傾倒して所定数の遊技球の払い出しがなされるので、変化に富んだ動作が提供でき、興趣性が増す。
【００１７】
第３及び第５の発明に係る弾球遊技機によれば、重力を利用して保留及び保留解除を行うようにしたので、製造及びコストの面で更に有利となる。
【００１８】
第６の発明に係る弾球遊技機によれば、保持容器を、遊技盤面に平行な水平軸に支持するので、保持容器が遊技盤面から出入りするようにすることができ、変化に富んだ動作が提供でき、遊技における視認的効果が向上する。
【００１９】
第７の発明に係る弾球遊技機によれば、保持容器を、遊技盤の背面に遊技盤の面と平行に配置することができ、遊技盤の背面側の空間を有効に利用することができる。
【００２０】
第８の発明に係る弾球遊技機によれば、遊技盤が透明となっているので、保持容器に保留される遊技球の数が視認でき、遊技者の期待感を高めることができ、興趣性が向上する。また、保持容器の動きを見ることができるので、この面でも興趣性が向上する。
【００２１】
第９の発明に係る弾球遊技機によれば、保持容器等が、遊技盤と表示装置との間の隙間に設けられるので、隙間を有効に利用することができる。
【発明を実施するための最良の形態】
【００２２】
以下、本発明に係る弾球遊技機の実施例を図面に基づき詳細に説明する。
【実施例１】
【００２３】
図１には、本発明に係る弾球遊技機の一実施例に係るパチンコ遊技機の全体構成を正面から見た様子を示し、図２には、その球保留装置の拡大正面を示し、図３及び図４には、その異なる状態の側面に沿う断面を示す。
【００２４】
先ず、図１に基づいてパチンコ遊技機の全体構成を説明する。
パチンコ遊技機１は、本体枠２と、本体枠２に組み込まれた遊技盤３と、本体枠２の前面下部に設けられた上皿４及びその下側に設けられた下皿５と、下皿５の右側に設けられた発射ハンドル６とを基本的な構成として備えている。
【００２５】
発射ハンドル６は、本体枠２に対して回動自在に設けられており、遊技者によって発射ハンドル６が操作されることにより、上皿４内の遊技球が発射されてパチンコ遊技を進めることができるようになっている。発射ハンドル６の裏側には、発射ソレノイド（図示せず）が設けられている。発射ハンドル６の周縁部にはタッチセンサ（図示せず）が設けられている。このタッチセンサが接触されたとき、遊技者により発射ハンドル６が把持されたと検知される。発射ハンドル６が遊技者によって把持され、かつ時計回り方向へ回転動作されたとき、その角度に応じて発射ソレノイドに電力が供給され、上皿４に貯留された遊技球が遊技盤３に順次発射される。
【００２６】
遊技盤３は、透明なベース板７を有しており、その前面が遊技領域８となっている。ベース板７には、例えばアクリルやポリカーボネートなどの透明性の材料が使われる。遊技盤３には、発射ハンドル６の操作によって発射された遊技球を遊技領域８の上方に導くためのガイドレール９が設けられている。ベース板７の前面には、遊技領域８を流下する遊技球に動きの変化を与えるための多数の障害釘１０が設けられている。なお、ベース板７は非透明な材料である木材などを使用してもよい。
【００２７】
ベース板７の背面側には、隙間をあけて大型の液晶表示装置が設けられている。液晶表示装置は、デモ画像や特別図柄の変動表示や所定の演出（例えば、大当りやリーチ演出等）に係る画像を表示する。液晶表示装置が遊技領域の全域に広がっているので、遊技の演出効果は飛躍的に高まる。
【００２８】
遊技盤３の中央下部には始動口ユニット１１が設けられている。始動口ユニット１１は、始動口１２及びその両側に設けられている１対の開閉可能な可動羽根１２ａ、１２ｂを有する。可動羽根１２ａ、１２ｂが開くことにより、始動口１２に遊技球が入りやすくなる開状態となり、可動羽根１２ａ、１２ｂが閉じることにより、始動口１２に遊技球が入りにくい閉状態となる。可動羽根１２ａ、１２ｂは、図では表れていないソレノイドにより開閉駆動される。始動口１２に遊技球が入ることにより所定数（例えば５個）の遊技球が賞球として払い出される。同時に、始動口１２に遊技球が入ると特別図柄の変動が開始される。
【００２９】
始動口ユニット１１の下方には、大入賞口ユニット１３が設けられている。大入賞口ユニット１３は、開閉可能なシャッタ１４を有する。シャッタ１４は、遊技状態が大当り状態になったときに所定の態様で開閉し、遊技球が入ることによって所定数（例えば１５個）の遊技球が賞球として払い出されるようになっている。大入賞口ユニット１３は、センサを有し、所定数の遊技球がシャッタ１４内の所定領域を通過するまで、又は所定時間が経過するまでシャッタ１４を開放状態に保持する。
【００３０】
遊技盤３における始動口ユニット１１の左右両側には、一般入賞口１６ａ、１６ｂ、１６ｃ、１６ｄが設けられている。一般入賞口１６ａ〜１６ｄに遊技球が入ると、所定数（例えば１０個）の遊技球が賞球として払い出される。
【００３１】
始動口ユニット１１の上方には、ステージ１７が設けられており、ここに入った遊技球は、ステージ１７上を転動して、始動口ユニット１１の方向及びその他の方向に導かれるようになっている。本実施例の如く、ベース板７を透明な部材としている場合には、ベース板７の裏側（ベース板７と液晶表示装置との間）にもステージを設けると共に、前面から裏面に通じる連通口を設けて、遊技球が前面から裏面側にワープするようにし、興趣性を高めたものとすることができる。
【００３２】
遊技盤３の下部にはアウト口１８が設けられており、始動口ユニット１１、大入賞口ユニット１３及び一般入賞口１６ａ〜１６ｄに入賞しなかった遊技球はこのアウト口１８に
入る。
【００３３】
遊技盤３の遊技領域８の左側で上下方向中ほどには、球通過検出器１９が設けられている。球通過検出器１９が遊技球の通過を検出すると、液晶表示装置に普通図柄の変動表示が開始され、所定時間が経過すると、普通図柄の変動表示は停止されるようになっている。
【００３４】
遊技盤３の裏面側には、各入賞口への入賞に応じて遊技球を払い出す払出装置が組み付けられている。払出装置は、各入賞口に設けられているセンサによる入賞感知信号を受けて、各入賞口への入賞に応じた所定数の遊技球を払い出すようになっている。
【００３５】
遊技盤３には、そのほかに、遊技球の経路を変えるための転動誘導部材（風車）、装飾のランプなども設けられている。
【００３６】
本実施例では、始動口ユニット１１とステージ１７との間に、所定数の遊技球を一定条件下で保留する球保留装置２１が設けられている。遊技盤３のベース板７の前面には、上下方向に貫通するガイド枠２２が設けられている。このガイド枠２２内から下方の始動口ユニット１１の直上にかけてベース板７にガイド長孔２３があけられている。
【００３７】
ベース板７の背面側には、ベース板７と一体に支持台２４が設けられており、この支持台２４上のブラケット２５に、支持軸２６によって保持容器２７が回動自在に支持されている。保留手段を構成する保持容器２７は有底の筒状をなし、その先端は球受け入れ部としての開口２８となっている。保持容器２７は、図３に示す保留位置と図４に示す保留解除位置との間で回動できるようになっている。前記ガイド長孔２３は、その上縁部２３ａでは保持容器２７を図３に示す保留位置より上側に行かないように規制し、下縁部２３ｂでは、図４に示す保留解除位置より下側に行かないように規制する。
【００３８】
保持容器２７は、保留位置にあっては先端部がベース板７から外側に突出して、開口２８がガイド枠２２内で上側を向き、遊技球を受け入れ得る状態となる。保持容器２７は、保留解除位置にあっては、開口２８が始動口ユニット１１の始動口１２の直上に位置して遊技球を放出し得る状態となる。保持容器２７は、支持台２４と保持容器２７の後端とをつなぐ付勢手段としてのばね２９によって保留位置に保持される。保持容器２７は、ベース板７と同様に、アクリルやポリカーボネートなどの透明性の材料でつくられている。また、付勢手段としては、ばね２９に限らず、ゴムなどの弾性部材でもよい。
【００３９】
次に、保留装置２１による保留作用及び保留解除作用について説明する。
通常の状態では、保持容器２７は、図２、３に示すように、ばね２９によって、開口２８がガイド枠２２内で上側を向く保留位置に保持される。
開口２８から遊技球３０が入ると、遊技球３０は保持容器２７内に保持される。３個の遊技球３０が入っても保持容器２７は保留位置に保持される。
【００４０】
保持容器２７に４個目の遊技球３０が入ると、支持軸２６より開口２８側の重力がばね２９の付勢力に打ち勝って保持容器２７は回動され、４個の遊技球３０が一気に始動口１２に向けて放出される。つまり、保持容器２７がいわゆる鹿威し（ししおどし）の如く回動して、一度に４個の遊技球３０が始動口１２に入賞するので、遊技の興趣は高まる。しかも、ベース板７及び保持容器２７が透明で、保持容器２７の中に保留されている遊技球３０の数が見えるので、興趣性は更に高まる。
【００４１】
保持容器２７内の遊技球３０が払い出されると、ばね２９の付勢力により、保持容器２７は元の保留位置に復帰する。
この実施例では、上述のように、ばね２９の付勢力と遊技球３０等にかかる重力とが保留解除手段を構成している。
【００４２】
なお、保持容器２７に保留される遊技球３０が３個以下で遊技球がなくなった場合等に備えて、遊技者が手動で保持容器を回転操作できるようにする機構も備えられる。
【実施例２】
【００４３】
図５には第２の実施例に係る球保留装置４１を示す。
この実施例は、実施例１におけるばね２９を使わずに重力のバランスのみで、遊技球３０の払い出しを可能としたものである。つまり、保持容器２７の遊技球３０にかかる重力のみを保留解除手段としたものである。
【００４４】
保持容器２７は、実施例１のものと同様に支持台２４上のブラケット２５に、支持軸２６によって保持容器２７が回動自在に支持されているが、その支持点は、軸２６の開口２８側（図５では左側）に４個目の遊技球３０が入ると支持軸２６に対する開口２８側が重くなって保持容器２７が回転する位置に定められている。
【００４５】
上記のような支持点の設定は、保持容器２７の質量と遊技球３０の質量とのバランスで決められるが、保持容器２７の形状や肉厚を調整したり、保持容器２７に錘を付けたりすることにより設定することもできる。
【００４６】
この球保留装置４１でも、先の実施例と同様に、保持容器２７内に３個の遊技球３０が入っても保持容器２７は図５中実線で示すように保留位置に留まる。保持容器２７に４個目の遊技球３０が入ると、支持軸２６を中央とする重量釣り合いが変わり、保持容器２７は二点鎖線で示す如く傾倒し、保持容器２７内の遊技球３０は、下方の始動口１２に向けて一気に放出される。
【実施例３】
【００４７】
図６には、第３の実施例に係る球保留装置５１を示す。
ベース板７には、ガイド枠５２が設けられ、ガイド枠５２内においてベース板７には、ガイド枠５２に入った遊技球をベース板７の裏側に導く入口ガイド孔５３があけられている。一方、始動口ユニット１１の直上においてベース板７には出口ガイド孔５４があけられている。
【００４８】
ベース板７の背面側に、球保留装置５１が設けられている。球保留装置５１は、入口ガイド孔５３と出口ガイド孔５４との間に、船形の保持容器５５を、ベース板７の面に垂直な支持軸５６でシーソーの如く回動（揺動）自在に支持してなる。保持容器５５の左端は、球受け入れ端となっており、この球受け入れ端が入り口ガイド孔５３の下側に位置する保留位置（図６中、実線で示す保持容器２７の位置）と、出口ガイド孔５４の下側に来る保留解除位置（図６中、二点鎖線で示す保持容器２７の位置）との間で移動し得るように保持容器５５は回動自在に支持されている。
【００４９】
保持容器５５の支持軸５６による支持点は、保持容器５５に遊技球３０が３個入った状態では保留位置に保持され、４個目の遊技球３０が入ると保留解除位置に回動するように定められている。この設定は、ベース板７に設けられた支持台５７と保持容器５５の後端との間にばね５８を設けることによって調整してもよいし、保持容器５５における支持軸５６の両側の重量バランスを取ることによって調整してもよい。ベース板７の裏面には、保持容器５５をそれぞれ位置で停止するストッパ５９、６０が設けられている。なお、保持容器５５の幅はそれほど大きくはないので、ベース板７と液晶表示装置との隙間（図３及び図４中に、符号６１で示す部分）に収めることもできる。
【００５０】
球保留装置５１の保持容器５５は、通常は保留位置に保持される。ガイド枠５２に入った遊技球３０は、入り口ガイド孔５３から保持容器５５の球受け入れ端を経て保持容器５５内に保持される。保持容器５５は、３個の遊技球３０が入っても保留位置に保持される。
【００５１】
保持容器５５に４個目の遊技球３０が入ると、保持容器５５は回動し、図６に二点鎖線で示す保留解除位置に移動する。保持容器５５内の遊技球３０は、球受け入れ端から出口ガイド孔５４を経て、下方の始動口１２に向けて放出される。つまり、一度に４個の遊技球３０が始動口１２に入賞するので、遊技の興趣は高まる。しかも、ベース板７透明で、保持容器５５に保留されている遊技球３０の数が見えるので、興趣性は更に高まる。
【００５２】
この実施例のように、保持容器５５をベース板７の面に垂直な水平軸回りに支持する場合には、奥行き方向にはスペースを取らないので、保持容器５５を、ベース板７の前面側に設けることも可能である。
【００５３】
本発明の実施形態は上記三つの実施例に限られない。例えば保留装置を設置する箇所は、始動口ユニットに対してのものに限らず、その他の入賞口に対して設けてもよい。また、保持容器の形状にしても、筒状、船形に限らずその他種々の形状を取ることもできる。保留する遊技球の数も４個に限られず、２個以上であればよい。保留解除手段も、上述の重力バランスと付勢手段との組み合わせのもの、専ら重力を利用したものに限られず、例えば、遊技球を保留していたストッパが、所定数の遊技球にかかる重力に解除されて所定数の遊技球が一気に放出されるようにしてもよい。
【産業上の利用可能性】
【００５４】
本発明は、弾球遊技機の分野で利用することができる。
【図面の簡単な説明】
【００５５】
【図１】本発明の一実施例に係る弾球遊技機の全体構成を示す正面図である。
【図２】本発明の一実施例に係る弾球遊技機における球保留装置の正面図である。
【図３】図２に示した球保留装置の側面に沿う断面図である。
【図４】状態を異にする図３と同様の断面図である。
【図５】他の例に係る球保留装置の断面図である。
【図６】更に他の例に係る球保留装置の正面図である。
【符号の説明】
【００５６】
１  パチンコ遊技機
２  遊技盤
３  ベース板
８  遊技領域
１１  始動口ユニット
１２  始動口
１３  大入賞口ユニット
１６ａ〜１６ｄ  一般入賞口
２１  球保留装置
２２  ガイド枠
２３  ガイド長孔
２６  支持軸
２７  保持容器
２８  開口
２９  ばね
３０  遊技球
４１  球保留装置
５１  球保留装置
５２  ガイド枠
５３  入口ガイド孔
５４  出口ガイド孔
５５  保持容器
５６  支持軸
６１  ベース板と液晶表示装置との間の隙間
【図１】
2006110027.tif 000003
【図２】
2006110027.tif 000004
【図３】
2006110027.tif 000005
【図４】
2006110027.tif 000006
【図５】
2006110027.tif 000007
【図６】
2006110027.tif 000008